(57)【要約】      （修正有）【課題】利用者が石鹸を取り出す場合、石鹸が付着しにくい石鹸載置装置を提供する。【解決手段】石鹸載置装置１は本体１０及び担持板２０を備える。本体は、上表面１０２及び下表面と、複数の貫通穴１０１とを有する。担持板は、複数の担持凸部２０１を有する。担持板は石鹸本体を担持するためのものである。担持板の係止構造と本体の係止構造とが互いに係止し合うと、担持板が本体の一方側に位置し、複数の担持凸部の少なくとも一部分が対応する本体の複数の貫通穴を貫通すると共に本体の他方側で露出し、本体から露出する各担持凸部の端面２０１１が本体の上表面から突出する。担持板の係止構造と本体の係止構造とが互いに分離すると、複数の担持凸部に載る石鹸本体を本体の上表面に落下させるように複数の担持凸部の各端面が本体の上表面から突出しない。【選択図】図２
0003209055.tif 000002
【実用新案登録請求の範囲】
【請求項１】
互いに反対側の上表面及び下表面と、複数の貫通穴とを有する本体と、
複数の担持凸部を有し、石鹸本体を担持するための担持板と、
を備え、
前記担持板の一端と前記本体の一端とが互いに枢着され、
前記担持板の他端と前記本体の他端には係止構造がそれぞれ設けられ、
前記担持板の係止構造と前記本体の係止構造とが互いに係止し合うと、前記担持板が前記本体の一方側に位置し、前記複数の担持凸部の少なくとも一部分が対応する前記本体の前記複数の貫通穴を貫通すると共に前記本体の他方側で露出し、前記本体から露出する各前記担持凸部の端面が前記本体の前記上表面から突出し、
前記担持板の前記係止構造と前記本体の前記係止構造とが互いに分離すると、前記複数の担持凸部に載る前記石鹸本体を前記本体の前記上表面に落下させるように前記複数の担持凸部の各前記端面が前記本体の前記上表面から突出しないことを特徴とする石鹸載置装置。
【請求項２】
前記本体の一側若しくは前記担持板の一側に設けられ、外力の作用により相対的に分離された前記本体と前記担持板を互いに係合し合う状態に回復させるための少なくとも一つの弾性手段を更に備えることを特徴とする、請求項１に記載の石鹸載置装置。
【請求項３】
前記本体と前記担持板を平面に固定設置させるための保持機構を更に備え、
前記保持機構は、前記本体と前記担持板とを選択的に互いに分離させることによって、前記担持板の前記複数の担持凸部の前記端面を前記本体の前記上表面から突出させないことを特徴とする、請求項１に記載の石鹸載置装置。
【請求項４】
前記保持機構は、連動モジュール及び固定モジュールを備え、
前記連動モジュールは、前記本体、前記担持板及び前記固定モジュールと互いに枢着し合い、
前記連動モジュールが外力の作用を受ける場合、前記担持板の前記複数の担持凸部の前記端面を前記本体の前記上表面から突出させず、
前記固定モジュールは前記平面に固定設置されることを特徴とする、請求項３に記載の石鹸載置装置。
【請求項５】
前記連動モジュールと前記固定モジュールとが互いに接触し合う前記連動モジュールの表面又は前記固定モジュールの表面に設置される圧電ユニットを更に含み、
前記石鹸載置装置が操作されることによって前記連動モジュールと前記固定モジュールとが互いに接触し合うことに応じて、前記圧電ユニットは電気エネルギーを生成することを特徴とする、請求項４に記載の石鹸載置装置。
【請求項６】
互いに反対側の上表面及び下表面と、複数の貫通穴とを有する本体と、
複数の担持凸部を有し、石鹸本体を担持するための担持板と、
前記本体と前記担持板を平面に固定設置させるための保持機構と、
を備え、
前記担持板が前記本体の一方側に位置し、前記複数の担持凸部の少なくとも一部分が対応する前記本体の前記複数の貫通穴を貫通すると共に前記本体の他方側で露出し、前記本体から露出する各前記担持凸部の端面が前記本体の前記上表面から突出し、
前記保持機構は、前記複数の担持凸部に載る前記石鹸本体を前記本体の前記上表面に落下させるように、前記本体と前記担持板とを選択的に互いに分離させることによって、前記担持板の前記複数の担持凸部の前記端面を前記本体の前記上表面から突出させず、
前記保持機構は、連動モジュール及び固定モジュールを備え、
前記連動モジュールは、前記本体、前記担持板及び前記固定モジュールと互いに枢着し合い、
前記連動モジュールが外力の作用を受ける場合、前記担持板の前記複数の担持凸部の前記端面を前記本体の前記上表面から突出させず、
前記固定モジュールは前記平面に固定設置され、
前記連動モジュールは、前記担持板における前記複数の担持凸部を有する側の他方側に設けられるとともに、ガイドレールが形成されているガイド構造を少なくとも含み、
前記固定モジュールは、
前記平面に固定設置される固定部材と、
末端が前記ガイド構造に枢着され、前記ガイドレールに沿って移動できるガイドアームと、
を備え、
前記連動モジュールは、前記担持板及び前記固定部材とそれぞれ枢着される連動部材を少なくとも含み、
前記連動部材が外力の作用により前記固定部材から離れる方向に向けて回転する場合、前記ガイドアームの末端は前記ガイド構造に対して前記ガイドレールに沿って移動することで、前記本体と前記担持板を相対的に回転させることによって前記複数の担持凸部の前記端面を前記本体の前記上表面から突出させないことを特徴とする石鹸載置装置。
【請求項７】
前記保持機構は、前記本体と前記担持板とが互いに相対的に分離される可動範囲を制限するための少なくとも一つの位置規制モジュールを更に備えることを特徴とする、請求項６に記載の石鹸載置装置。
【請求項８】
前記連動モジュールは中空ハウジングを更に備え、
前記本体及び前記担持板は前記中空ハウジング内に枢着設置され、
前記中空ハウジングは貫通穴を備え、
前記ガイドアームは、対応する前記中空ハウジングの貫通穴を貫通することによって前記担持板の前記ガイド構造と互いに枢着され、
前記中空ハウジングは、上端及び下端を有し、
前記連動部材が前記中空ハウジングの前記上端に隣接して設けられ、
前記中空ハウジングの内部における前記下端に隣接する部位には当接部材が設けられ、
前記中空ハウジングが外力を受けることによって前記固定部材から離れる方向に向けて回転すると共に前記ガイドアームが前記ガイド構造に対して前記ガイドレールに沿って移動する場合、前記本体と前記担持板が前記中空ハウジングで回転し、前記本体が前記当接部材により押し付けられることで前記担持板と分離することによって、前記複数の担持凸部の前記端面を前記本体の他方側から突出させないことを特徴とする、請求項７に記載の石鹸載置装置。
【請求項９】
前記固定部材は、前記中空ハウジングの前記下端に隣接して設けられる当接部材を更に備え、
前記中空ハウジングが外力の作用を受けない場合、前記中空ハウジングの前記下端の外側は、対応する前記固定部材の当接部材に突き当たることにより、前記中空ハウジングが傾斜状となることを特徴とする、請求項８に記載の石鹸載置装置。
【請求項１０】
前記位置規制モジュール及び前記ガイド構造は前記連動部材に枢設され、
前記連動モジュールは、
中空ハウジングと、
前記ガイド構造と、
前記中空ハウジングの側壁の内表面に固定設置される前記連動部材と、
前記連動部材の設置位置に対応するように前記側壁の外表面に固定設置され、前記固定部材と互いに枢着される補助連動部材と、
を備え、
前記ガイドアームは、対応する前記中空ハウジングの貫通穴を貫通し、前記担持板の前記ガイド構造と互いに枢着され、
前記中空ハウジングが外力により前記固定部材から離れる方向に向けて回転する場合、前記本体と前記担持板とが前記固定部材方向に向けて回転すると共に前記本体と前記担持板とが互いに分離し、前記石鹸本体が各前記端面から前記本体の前記上表面に落下するように前記複数の担持凸部の前記端面が前記本体の前記上表面から突出しないことを特徴とする、請求項７に記載の石鹸載置装置。
【請求項１１】
前記本体と前記位置規制モジュールは、互いに係止されることによって前記担持板における前記複数の担持凸部を有する一側に設けられ、
前記保持機構は、それぞれほぼＮ字型となる二つの前記位置規制モジュールを備え、
前記本体における前記担持板と隣接する一側には二つの固定柱が設けられ、
前記本体における前記二つの固定柱に隣接する側辺にはカバー体構造が形成され、
前記連動部材に枢着される二つの前記位置規制モジュールの一端が、対応する前記二つの固定部材と前記カバー体構造との間の隙間に嵌設されることを特徴とする、請求項１０に記載の石鹸載置装置。
【考案の詳細な説明】
【技術分野】
【０００１】
本考案は石鹸載置装置に関し、特に利用者が石鹸本体を取り出す場合、石鹸本体が付着しにくい石鹸載置装置に関する。
【背景技術】
【０００２】
ところで、現在通常の石鹸箱は、利用者が石鹸を取り出す場合、石鹸が石鹸箱に付着するため、利用者が取り出しにくいという問題が発生することが多い。このように利用者が取り出しにくいだけではなく、石鹸箱に付着する石鹸が回収利用されにくいことで、無駄遣いの問題になりやすい。
【考案の概要】
【考案が解決しようとする課題】
【０００３】
本考案の主な目的は、利用者が石鹸を取り出す場合、石鹸が石鹸箱に付着しやすいという問題を解決するための石鹸載置装置を提供することにある。
【課題を解決するための手段】
【０００４】
上記目的を実現するために、本考案は石鹸載置装置を提供する。石鹸載置装置は本体及び担持板を備える。本体は、互いに反対側の上表面及び下表面と、複数の貫通穴とを有する。担持板は、複数の担持凸部を有する。担持板は石鹸本体を担持するためのものである。担持板の一端と本体の一端とが互いに枢着される。担持板の他端と本体の他端には係止構造がそれぞれ設けられる。担持板の係止構造と本体の係止構造とが互いに係止し合うと、担持板が本体の一方側に位置し、複数の担持凸部の少なくとも一部分が対応する本体の複数の貫通穴を貫通すると共に本体の他方側で露出し、本体から露出する各担持凸部の端面が本体の上表面から突出する。担持板の係止構造と本体の係止構造とが互いに分離すると、複数の担持凸部に載る石鹸本体を本体の上表面に落下させるように複数の担持凸部の各端面が本体の上表面から突出しない。
【０００５】
また、上記目的を実現するために、本考案は石鹸載置装置を提供する。石鹸載置装置は、互いに反対側の上表面及び下表面と、複数の貫通穴とを有する本体と、複数の担持凸部を有し、石鹸本体を担持するための担持板と、本体と担持板を平面に固定設置させるための保持機構と、を備える。担持板が本体の一方側に位置し、複数の担持凸部の少なくとも一部分が対応する本体の複数の貫通穴を貫通すると共に本体の他方側で露出し、本体から露出する各担持凸部の端面が本体の前記上表面から突出する。保持機構は、複数の担持凸部に載る石鹸本体を本体の上表面に落下させるように、本体と担持板とを選択的に互いに分離させることによって、担持板の複数の担持凸部の端面を本体の上表面から突出させない。保持機構は、連動モジュール及び固定モジュールを備える。連動モジュールは、本体、担持板及び固定モジュールと互いに枢着し合う。連動モジュールが外力の作用を受ける場合、担持板の複数の担持凸部の端面を本体の上表面から突出させない。固定モジュールは平面に固定設置される。連動モジュールは、担持板及び固定部材とそれぞれ枢着される連動部材と、担持板における複数の担持凸部を有する側の他方側に設けられるとともに、ガイドレールが形成されているガイド構造と、を少なくとも含む。固定モジュールは、平面に固定設置される固定部材と、末端がガイド構造に枢着され、ガイドレールに沿って移動できるガイドアームと、を備える。連動部材が外力の作用により固定部材から離れる方向に向けて回転する場合、ガイドアームの末端はガイド構造に対してガイドレールに沿って移動することで、本体と担持板を相対的に回転させることによって複数の担持凸部の端面を本体の上表面から突出させない。
【考案の効果】
【０００６】
石鹸本体が石鹸載置装置に設けられる場合、石鹸本体は担持板の担持凸部の端面に設置される。利用者が担持板と本体とを互いに対向し分離させる場合、石鹸本体は、担持板の担持凸部の端面から分離することによって本体の上表面に落下する。これにより、石鹸本体が付着するという問題が効果的に避けられる。
【図面の簡単な説明】
【０００７】
【図１】本考案の石鹸載置装置の第１の実施例の分解模式図である。
【図２】本考案の石鹸載置装置の第１の実施例の斜視概略図である。
【図３Ａ】本考案の石鹸載置装置の第１の実施例の作動側面図である。
【図３Ｂ】本考案の石鹸載置装置の第１の実施例の作動側面図である。
【図４】本考案の石鹸載置装置の第２の実施例の作動側面図である。
【図５Ａ】本考案の石鹸載置装置の第３の実施例の作動側面図である。
【図５Ｂ】本考案の石鹸載置装置の第３の実施例の作動側面図である。
【図６】本考案の石鹸載置装置の第４の実施例の斜視概略図である。
【図７】本考案の石鹸載置装置の第４の実施例の側面図である。
【図８】本考案の石鹸載置装置の第４の実施例の作動側面図である。
【図９】本考案の石鹸載置装置の第５の実施例の分解模式図である。
【図１０】本考案の石鹸載置装置の第５の実施例の分解模式図である。
【図１１】本考案の石鹸載置装置の第５の実施例の部分組立模式図である。
【図１２】本考案の石鹸載置装置の第５の実施例の部分組立模式図である。
【図１３】本考案の石鹸載置装置の第５の実施例の組立模式図である。
【図１４】本考案の石鹸載置装置の第５の実施例の作動側面図である。
【図１５】本考案の石鹸載置装置の第５の実施例の作動側面図である。
【図１６】本考案の石鹸載置装置の第５の実施例の使用模式図である。
【図１７】本考案の石鹸載置装置の第５の実施例の使用模式図である。
【図１８】本考案の石鹸載置装置の第６の実施例の作動側面図である。
【図１９】本考案の石鹸載置装置の第６の実施例の作動側面図である。
【考案を実施するための形態】
【０００８】
〔第１の実施例〕
図１乃至図４を参照する。図１乃至図４は本考案の石鹸載置装置の第１の実施例の模式図である。図１に示すように、石鹸載置装置１は本体１０及び担持板２０を備える。本体１０は複数の貫通穴１０１を有する。本体１０は互いに反対側の上表面１０２及び下表面１０３を有する（図４を参照する）。担持板２０の一側には外側へ突出する複数の担持凸部２０１が形成されている。担持板２０は本体１０の一側に設けられる。複数の担持凸部２０１は、対応する本体１０の複数の貫通穴１０１を貫通すると共に少なくとも一部分が本体１０の他方側で露出することができる。即ち、担持凸部２０１の設置位置はほぼ本体１０の複数の貫通穴１０１の設置位置に対応し、かつ複数の担持凸部２０１の最大断面が貫通穴１０１の断面よりも小さい。担持凸部２０１の外形は、対応する複数の貫通穴１０１を貫通することができればよく、ここには制限されない。
【０００９】
図２に示すように、本体１０と担持板２０の一端とが互いに枢着されてもよい。本体１０と担持板２０とが互いに係合し合う場合、担持板２０の複数の担持凸部２０１の少なくとも一部分は本体１０の他方側で露出する。複数の本体１０の他方側で露出する担持凸部２０１の端面２０１１は石鹸本体Ｓを担持する。換言すれば、本体１０と担持板２０とが互いに係合し合う場合、石鹸本体Ｓは、本体１０の複数の貫通穴１０１から突出する複数の担持凸部２０１の端面２０１１に設置されることができる。なお、担持板２０が本体１０の一側に設置され、担持板２０の複数の担持凸部２０１の少なくとも一部分が本体１０の他方側で露出する場合、複数の担持凸部２０１の端面２０１１は本体１０の上表面１０２と面一にならず、上表面１０２から突出するものである。即ち、石鹸本体Ｓは複数の担持凸部２０１の端面２０１１に設置される場合、本体１０の上表面１０２と接触しない。
【００１０】
なお、複数の担持凸部２０１が本体１０の上表面１０２から突出する場合、各端面２０１１はほぼ同一の平面上に位置することができるため、石鹸本体Ｓは安定してその上に設けられることが可能である。もちろん、複数の端面２０１１は必要に応じて、同一の平面上に位置することなく、同一の曲面に位置するように設計されてもよい。
【００１１】
また、本体１０と担持板２０の一端は互いに枢着されてもよい。本体１０と担持板２０が互いに固定されるように、本体１０と担持板２０には対応する係止構造（図示せず）が設けられていてもよい。例えば、本体１０は少なくとも一つの凹溝（図示せず）を有してもよい。担持板２０は対応する少なくとも一つのボス（図示せず）を有してもよい。本体１０と担持板２０は凹溝とボスの係合により互いに固定されてもよい。利用者が石鹸本体Ｓを取ろうとする場合、担持板２０のボスと本体１０の凹溝とを分離させ、担持凸部２０１の端面２０１１が本体１０の上表面１０２から突出しないようにしてもよい。
【００１２】
図３Ａ及び図３Ｂに示すように、実施例において、本体１０の一端は壁面Ｗに固定設置されてもよい。本体１０と担持板２０との間は係止構造（図示せず）を介して互いに係合し合うことが可能である。図３Ａに示すように、担持板２０と本体１０とが互いに係合し合う場合、石鹸本体Ｓは対応する本体１０一側で露出する複数の担持凸部２０１の端面２０１１（図２を参照する）に設置されることが可能である。図３Ｂに示すように、利用者は担持板２０と本体１０とを分離させ（即ち、利用者は担持板２０を本体１０に対して図面における反時計回り方向へ回転させ）、複数の担持凸部２０１が本体１０の上表面１０２から突出しない場合、石鹸本体Ｓは複数の担持凸部２０１の端面２０１１と接触せず、本体１０の上表面１０２に落下する。これにより、石鹸本体Ｓと担持凸部２０１とを効果的に分離させることができる。そこで、利用者が本体１０で石鹸本体Ｓを取り出す場合、石鹸本体Ｓが付着するという問題が発生しにくい。
【００１３】
別の実施例において、本体１０の上表面１０２は傾斜した状態となってもよい。利用者が担持板２０を本体１０に対して回転させる場合、石鹸本体Ｓは複数の担持凸部２０１から外れ本体１０の上表面１０２に落下し、本体１０の上表面１０２の傾斜した方向に沿って移動し、利用者の方向へ滑落することができる。
【００１４】
利用者が石鹸本体Ｓの使用を完了した場合、担持板２０を復帰して本体１０の一側に固定設置する（本体１０と担持板２０が再び係止構造を介して互いに係止される）ことで、複数の担持凸部２０１の端面２０１１は再び本体１０の上表面１０２から突出することができる。それにより、石鹸本体Ｓは再び複数の担持凸部２０１の端面２０１１に載置されることが可能である。
【００１５】
より好ましい実施例において、本体１０と担持板２０との間に例えば圧縮ばねなどの弾性手段（図示せず）が設けられてもよい。利用者が担持板２０を本体１０（若しくは担持板２０）に対して回転させる場合、弾性手段は引っ張られた状態となることにより、利用者が石鹸本体Ｓを把持してから、担持板２０を放した後、担持板２０は自動的に元の位置まで復帰する。もちろん、他の実施例において、弾性手段を担持板２０と壁面Ｗとの間又は本体１０と壁面Ｗとの間に設けるようにしてもよい。これにより、弾性手段は、担持板２０と壁面Ｗが相対的に回転する場合、若しくは本体１０と壁面Ｗが相対的に回転する場合、受圧の状態となることもできる。
【００１６】
また、本実施例において、本体１０の一端と担持板２０の一端とが互いに枢着されることを例にするが、これに限定されるものではない。本体１０と担持板２０はそれぞれ互いに枢着される態様に制限されず、その両方は互いに隣接して設置されること（それにより担持凸部２０１は本体１０の一側で露出することができる）、及びそれぞれ互いに分離されることのみできればよい。
【００１７】
〔第２の実施例〕
図４を参照する。図４は本考案の石鹸載置装置の第２の実施例である。本実施例は前記実施例の部材と同じであり、その差異は各部材間の設置方法が異なることのみである。具体的には、石鹸載置装置１の担持板２０の一端は壁面Ｗに固定設置されてもよい。担持板２０の他端は本体１０と互いに枢着されてもよい。即ち、本体１０が担持板２０の壁面Ｗから離れる一端に枢着される。これにより、利用者は本体１０の担持板２０と互いに枢着される一端を押圧することで、本体１０を枢着される位置で担持板２０に対して回転させ、更に複数の担持凸部２０１の端面２０１１が本体１０の上表面１０２から突出することなく、石鹸本体Ｓは複数の担持凸部２０１の端面２０１１から、本体１０の上表面１０２に落下しながら、傾斜する本体１０とともに自動的に利用者の手に滑落することができる。
【００１８】
〔第３の実施例〕
図５Ａ及び図５Ｂを参照する。図５Ａ及び図５Ｂは本考案の石鹸載置装置の第３の実施例である。本実施例は前記実施例の部材と同じであり、その差異は各部材間の設置方法が異なることのみである。
【００１９】
本実施例の石鹸載置装置では、通常状態の場合、石鹸本体Ｓは本体１０の上表面１０２に設置される。この場合、担持板２０の複数の担持凸部２０１は本体１０の下表面１０３から離れて設けられ、複数の担持凸部２０１は対応する貫通穴１０１から露出しない。利用者が石鹸本体Ｓを使用しようとする場合、担持板２０を本体１０方向に向けて回転させることで、複数の担持凸部２０１が対応する貫通穴１０１を貫通し、更に複数の担持凸部２０１の端面２０１１は、上表面１０２に設けられた石鹸本体Ｓを前記上表面１０２から離れる方向に向けて持ち上げることが可能である。それにより、石鹸本体Ｓを効果的に元の設置部位である上表面１０２に付着させないことが可能である。利用者は複数の担持凸部２０１の端面２０１１から石鹸本体Ｓを容易に取り出すことができる。
【００２０】
〔第４の実施例〕
図６から図８を参照する。図６乃至図８は本考案の石鹸載置装置の第４の実施例の模式図である。図面に示すように、石鹸載置装置２は、本体１０と、担持板２０と、保持機構とを備える。本体１０と担持板２０の詳しい説明について、上記実施例と同じである。本実施例と前記実施例の最大の相違点は、石鹸載置装置２は、本体１０と担持板２０とが選択的に分離できるための連動モジュール３０と、石鹸載置装置２が平面（例えば図面に示す壁面Ｗ）上に固定設置されるための固定モジュール４０とを備える保持機構を更に備えてもよいことにある。本実施例において、連動モジュール３０はガイド構造３１と、連動部材３２とを備える。固定モジュール４０は固定部材４１と、ガイドアーム４２とを備える。
【００２１】
ガイド構造３１は担持板２０における複数の担持凸部２０１を有する側の他方側に設けられる。即ち、ガイド構造３１と複数の担持凸部２０１は担持板２０の両側にそれぞれ設けられる。ガイド構造３１にガイドレール３１１が形成されている。図面に示すように、本実施例において、ガイド構造３１は二つのガイド３１ａを備える。各ガイド３１ａは独立した部材である。二つのガイド３１ａは間隔を置いて担持板２０の一側に設けられる。二つのガイド３１ａには前記ガイドレール３１１がそれぞれ形成されている。
【００２２】
連動部材３２の両端は、担持板２０及び固定部材４１とそれぞれ互いに枢着される。これにより、連動部材３２は外力の作用を受ける場合、担持板２０を連動して作動することができる。他の実施例において、連動部材３２は他の補助部材を介して固定部材４１に間接的に枢着されてもよい。
【００２３】
固定部材４１は壁面Ｗに固定設置されるためのものである。固定部材４１の一側は連動部材３２と互いに枢着される。即ち、連動部材３２の両端は、担持板２０及び固定部材４１とそれぞれ枢着される。ガイドアーム４２は固定部材４１における壁面Ｗに固定設置される一側と反対の他側に設けられる。ガイドアーム４２は固定部材４１と一体成形により設けられてもよい。固定部材４１はほぼＬ型であってもよい。ガイドアーム４２の末端４２１（ガイドアーム４２における固定部材４１と接続される一端から離れる端部）は担持板２０のガイド構造３１に枢設され、ガイドレール３１１に沿って移動できる。これにより、担持板２０の回動範囲を制限する。ガイドアーム４２は本体１０と、担持板２０と、担持凸部２０１に設置される石鹸本体Ｓとを支持することができる。
【００２４】
図７に示すように、複数の担持板２０が対応する本体１０の一側に設置されると共に、複数の担持凸部２０１が本体１０の複数の貫通穴１０１を貫通して本体１０の上表面１０２から突出する場合、ガイドアーム４２の末端４２１は対応するガイドレール３１１における第１の位置Ｐ１に位置すると共に、連動部材３２は固定部材４１に隣接して設けられるようにしてもよい（例えば、平行となって固定部材４１の一側に設けられてもよい）。この場合、本体１０と担持板２０はほぼ水平となって設けられてもよい。これにより、石鹸本体Ｓは複数の担持凸部２０１の端面２０１１（図示せず、図６を参照する）に安定して設置されることができる。担持板２０及び本体１０の重量、ガイドアーム４２の長さ及び連動部材３２の長さを設計することで、本体１０及び担持板２０は図７に示すような状態を維持することができる。
【００２５】
図８に示すように、連動部材３２が外力の作用により固定部材４１から離れる方向に向けて移動する場合、連動部材３２は固定部材４１から離れる方向（即ち、図面における時計回り方向）に向けて回転する。これにより、本体１０は連動部材３２とともに回動し、担持板２０から離れると同時に、連動部材３２は担持板２０を連動して本体１０から離れる方向（即ち、図面における反時計回り方向）に向けて回転させ、ガイドアーム４２の末端４２１はガイドレール３１１に沿い第２の位置Ｐ２に移動する。これにより、担持板２０は本体１０から離れるとともに傾斜した状態となる。石鹸本体Ｓは複数の担持凸部２０１から外れ、本体１０の上表面１０２に落下する。
【００２６】
なお、別の実施例において、本体１０は連動部材３２に固定設置されていないようにしてもよい。即ち、連動部材３２は外力の作用を受ける場合、本体１０は連動部材３２とともに回転せず、担持板２０と本体１０との分離は、連動部材３２の駆動及びガイドアーム４２とガイドレール３１１の位置規制の作動のみを介して達成されるものである。
【００２７】
図６を参照する。好ましくは、連動部材３２の両側には、利用者が連動部材３２を押し動かすための押付部３２１が設けられてもよい。
【００２８】
〔第５の実施例〕
図９乃至図１７は本考案の石鹸載置装置の第５の実施例の分解、組立及び作動模式図である。図９及び図１０を参照する。石鹸載置装置３は、本体１０と、担持板２０と、連動モジュール３０と、固定モジュール４０と、二つの位置規制モジュール５０とを備える保持機構とを備える。本体１０と担持板２０の詳しい説明について、前記実施例を参照する。位置規制モジュール５０は本体１０と担持板２０とが互いに分離される可動範囲を制限するためのものである。
【００２９】
連動モジュール３０はガイド構造３１と、連動部材３２と、補助連動部材３３と、中空ハウジング３４とを備える。ガイド構造３１は二つのガイド３１ａを備える。各ガイド３１ａにはガイドレール３１１が形成されているとともに、係止爪３１２を有してもよい。担持板２０は二つのガイド３１ａの係止爪３１２に対応する少なくとも一つの係止穴２０２を有するようにしてもよい。それにより、二つのガイド３１ａは担持板２０の係止穴２０２を介して担持板２０の一側（複数の担持凸部２０１が形成されている側の反対側）に固定設置されることが可能である。
【００３０】
連動部材３２は二つの枢着部３２２を有する。二つの枢着部３２２と二つのガイド３１ａ及び二つの位置規制モジュール５０とが（図１２に示すように）互いに枢着される。二つのガイド３１ａ及びそれと接続される担持板２０は連動部材３２に対して回転することができる。二つの位置規制モジュール５０は同様に連動部材３２に対して回転することができる。補助連動部材３３は、連動部材３２及びそれと枢着される担持板２０が中空ハウジング３４の内部に固定設置されるためのものである。具体的には、連動部材３２はそれが枢着される担持板２０と併せて中空ハウジング３４の収容空間Ｃに設けられてもよい。連動部材３２における担持板２０と互いに枢着される側の反対側が中空ハウジング３４の側壁の内側に固定設置される。補助連動部材３３は連動部材３２の設置位置に対応して、中空ハウジング３４の同一の側壁の外側に固定設置される。補助連動部材３３は関連の係止構造又は他のロック部材を介して、中空ハウジング３４の側壁及び連動部材３２と互いに固定される。
【００３１】
固定モジュール４０は、固定部材４１と、ガイドアーム４２と、補助固定部材４３とを備える。固定部材４１は、補助固定部材４３と互いに係合されることによって、石鹸載置装置３を壁面Ｗに固定設置させるためのものである（図１４を参照する）。具体的には、補助固定部材４３は壁面Ｗに固定設置されてもよい。固定部材４１は、係合溝４１１を備える。これにより、固定部材４１は、係合溝４１１を介して着脱可能に補助固定部材４３に固定設置されてもよい。図１４及び図１５に示すように、固定部材４１における係合溝４１１（図１０を参照する）を有する側の反対側は、補助連動部材３３と互いに枢着される。本実施例において、連動部材３２は補助連動部材３３を介して、固定部材４１と間接的に互いに枢着される。
【００３２】
ガイドアーム４２は固定部材４１の一側から略垂直に外側に向けて延在し形成される。ガイドアーム４２の末端４２１（固定部材４１から離れる一端）はガイド構造３１と互いに枢着される。具体的には、ガイドアーム４２の末端４２１には二つのガイド柱（図示せず）が形成されていてもよい。二つのガイド柱は、対応する二つのガイド３１ａの二つのガイドレール３１１にそれぞれ枢設される。もちろん、ガイドアーム４２とガイド構造３１との枢着方法は、これに限定されるものではなく、必要に応じて変わってもよい。
【００３３】
図１１及び図１２を参照する。二つのガイド３１ａと二つの位置規制モジュール５０の一側は連動部材３２の二つの枢着部３２２の間に設けられてもよい。これにより、枢着レバー（図示せず）を介して互いに枢着されることが可能である。二つの位置規制モジュール５０はＮ字型のような外形（図９を参照する）を有してもよい。図１２に示すように、二つのガイド３１ａ及びそれと接続される担持板２０が二つの位置規制モジュール５０と併せて連動部材３２に枢着される場合、二つの位置規制モジュール５０の一端は連動部材３２の枢着部３２２から突出してもよい。本体１０の下表面１０３には二つの位置規制モジュール５０の一端に対応して、二つの固定柱１１が設けられる。二つの固定柱１１と本体１０のカバー体構造１０４との間に隙間Ｒが形成されていてもよい。これにより、二つの位置規制モジュール５０の連動部材３２の枢着部３２２から突出する一端は、隙間Ｒに嵌設されることが可能である。
【００３４】
換言すれば、本体１０は、自体のカバー体構造１０４及び二つの固定柱１１の設計を介して、対応する二つの位置規制モジュール５０と互いに係合し合うことが可能である。それにより、本体１０は担持板２０における複数の担持凸部２０１が形成されている一側に被覆設置され、且つ二つの位置規制モジュール５０が連動部材３２及び担持板２０に対して回転できる特性により、本体１０も担持板２０に対して回転でき、選択的に担持板２０と分離したり組合せたりすることができる。本体１０は直接連動部材３２に枢着され、他の部材を介して位置規制モジュール５０と互いに係合されてもよい。あるいは本体１０は他の方法により二つの位置規制モジュール５０と互いに係合されてもよい。
【００３５】
図１３に示すように、石鹸載置装置３の通常状態の場合、複数の担持凸部２０１は対応する本体１０の上表面１０２から突出し、本体１０及び担持凸部２０１は対応する中空ハウジング３４内に設けられる。利用者はそのまま石鹸本体を直接複数の担持凸部２０１の端面２０１１に設置することができる。
【００３６】
図１４を参照する。ガイドアーム４２の少なくとも一部分は中空ハウジング３４の貫通穴３４１を貫通する。ガイドアーム４２の末端４２１は対応するガイド構造３１のガイドレール３１１の第１の位置Ｐ１’（即ち、ガイドレール３１１の末端）に位置する。本体１０と担持板２０は連動部材３２に直接的に又は間接的に枢着される。本体１０と担持板２０は、中空ハウジング３４に傾斜的に設けられるようにしてもよい。
【００３７】
また、本体１０と担持板２０が中空ハウジング３４内に水平的に設けられてもよい。
【００３８】
図１５乃至図１７に示すように、利用者は複数の担持凸部２０１に載置される石鹸本体Ｓを取り出そうとする場合、中空ハウジング３４と壁面Ｗとの間に形成される空隙まで手を伸ばし、押し引きにより中空ハウジング３４を壁面Ｗから離れる方向に向けて回転させることができる。この場合、中空ハウジング３４は連動部材３２を駆動し壁面Ｗから離れる方向（即ち、図面における時計回り方向）に向けて回転させ、連動部材３２の枢着部３２２がそれとともに回転し位置を変更する。
【００３９】
これにより、本体１０と担持板２０は、何れも自体の重量の牽引により、壁面Ｗ方向（即ち、図面における反時計回り方向）へ回転し、本体１０と担持板２０との間において位置規制モジュール５０に押し付けられ、複数の担持凸部２０１は本体１０の上表面１０２から突出することなく、本体１０と離脱する。従って、そもそも複数の担持凸部２０１に設けられた石鹸本体Ｓは、複数の担持凸部２０１と分離し、本体１０の上表面１０２に落下すると共に上表面１０２に沿って利用者の手に届ける。この場合、ガイドアーム４２の末端４２１はガイド構造３１に対して、ガイドレール３１１の一方の末端から他方の末端に移動する。即ち、ガイドアーム４２は、ガイド構造３１に対して、ガイドレール３１１の第１の位置Ｐ１’から、（図１５に示すように）ガイドレール３１１の第２の位置Ｐ２’に移動する。
【００４０】
図１５に示すように、石鹸本体Ｓが利用者の手に落下した後、中空ハウジング３４は、自体の重量により、壁面Ｗに近接する方向に向けて回転し、図１３及び図１４に示すような元の状態に回復するとともに、本体１０及び担持板２０は同様に自体の重量の牽引により、図１３及び図１４に示すような状態に回復する。利用者は、石鹸本体Ｓを更に複数の担持凸部２０１に載置することができる。
【００４１】
〔第６の実施例〕
図１８及び図１９を参照する。図１８及び図１９は本考案の石鹸載置装置の第６の実施例の部分断面側面図である。以下、本実施例と前記実施例の最大の相違点のみについて説明する。
【００４２】
図面に示すように、本体１０は複数の貫通穴１０１を有する。担持板２０は複数の貫通穴１０１に対応する複数の担持凸部２０１を有する。連動モジュール３０は、連動部材３２と、中空ハウジング３４と、ガイド構造３１とを備える。連動部材３２は中空ハウジング３４の上端Ａ１に設けられる。ガイド構造３１はガイドレール３１１を有する。
【００４３】
固定モジュール４０は、固定部材４１と、ガイドアーム４２とを備える。固定部材４１は、中空ハウジング３４に設けられる連動部材３２と互いに枢着されるための枢着部材４１１’を更に備える。固定部材４１における中空ハウジング３４の下端Ａ２に隣接する部位には、中空ハウジング３４に押し付けるための当接部材４１２が設けられている。位置規制モジュール５０は中空ハウジング３４内に設けられるとともに、中空ハウジング３４における下端Ａ２に隣接する部位に設けられる。
【００４４】
石鹸本体Ｓが複数の担持凸部２０１の端面２０１１に設けられる場合、中空ハウジング３４の貫通穴３４１を貫通するガイドアーム４２は、その末端が対応するガイドレール３１１の第１の位置Ｐ１に位置し、中空ハウジング３４における壁面Ｗに隣接する一側が、対応する当接部材４１２に突き当たる。
【００４５】
利用者が中空ハウジング３４を押し引きし、それを図面における時計回り方向に向けて回転させる場合、本体１０及び担持板２０は、図面における反時計回り方向に向けて回転する。中空ハウジング３４における下端Ａ２に位置する位置規制モジュール５０は、対応する担持板２０を貫通し、本体１０の一側に押し付けられ、ガイドアーム４２の末端が対応するガイドレール３１１の第２の位置Ｐ２に位置する。本体１０は、担持板２０と互いに分離し、複数の担持凸部２０１が本体１０の上表面１０２から突出しないようにする。これにより、石鹸本体Ｓは、本体１０の上表面１０２に落下し、上表面１０２に沿って下に向けて滑落し、中空ハウジング３４の下端Ａ２の開口から利用者の手に滑り落ちる。石鹸本体Ｓが利用者の手に滑落した後、中空ハウジング３４は、固定部材４１方向に向けて回転し、当接部材４１２に突き当たる。それにより、本体１０及び担持板２０が図１８に示すような状態に回復する。
【００４６】
他の実施例において、利用者の操作する際に互いに接触し合う二つの部材（例えば連動モジュールと固定モジュール）の何れかの表面に圧電ユニットが設けられるようにしてもよい。これにより、利用者が石鹸本体を取ると、圧電ユニットＥは、対応する部材同士による接触によって電気エネルギーを生成する。生成した電気エネルギーは外部の電子素子の電力として外部の電子素子に提供されてもよく、蓄電ユニットに保存されてもよい。互いに接触し合う二つの部材としては、図１に示す本体１０及び担持板２０であってもよく、図７及び図８に示す連動部材３２及び固定部材４１であってもよく、図１４及び図１５に示す補助連動部材３３及び固定部材４１であってもよく、図１８及び図１９に示す中空ハウジング３４及びガイドアーム４２であってもよい。
【符号の説明】
【００４７】
１０  本体、１０１  貫通穴、１０２  上表面、１０３  下表面、１０４  カバー体構造、１１  固定柱、２０  担持板、２０１  担持凸部、３０  連動モジュール、３１  ガイド構造、３１１  ガイドレール、３２  連動部材、３３  補助連動部材、３４  中空ハウジング、３４１  貫通穴、４０  固定モジュール、４１  固定部材、４１２  当接部材、４２  ガイドアーム、５０  位置規制モジュール、Ａ１  上端、Ａ２  下端、Ｅ  圧電ユニット、Ｒ  隙間、Ｓ  石鹸本体
【図１】
0003209055.tif 000003
【図２】
0003209055.tif 000004
【図３Ａ】
0003209055.tif 000005
【図３Ｂ】
0003209055.tif 000006
【図４】
0003209055.tif 000007
【図５Ａ】
0003209055.tif 000008
【図５Ｂ】
0003209055.tif 000009
【図６】
0003209055.tif 000010
【図７】
0003209055.tif 000011
【図８】
0003209055.tif 000012
【図９】
0003209055.tif 000013
【図１０】
0003209055.tif 000014
【図１１】
0003209055.tif 000015
【図１２】
0003209055.tif 000016
【図１３】
0003209055.tif 000017
【図１４】
0003209055.tif 000018
【図１５】
0003209055.tif 000019
【図１６】
0003209055.tif 000020
【図１７】
0003209055.tif 000021
【図１８】
0003209055.tif 000022
【図１９】
0003209055.tif 000023